(57)【特許請求の範囲】
【請求項１】
車両の周囲の情景を撮影した撮影画像を取得する撮影画像取得部と、
前記撮影画像に基づいて注目撮影画像を生成する注目撮影画像生成部と、
前記注目撮影画像の外側の外側領域に物体が存在するか否かを判定する物体存在判定部と、
前記外側領域の物体が前記注目撮影画像に対応する領域に進入する場合に、前記注目撮影画像における前記物体が存在する外側領域の側の端部に表示する、前記物体の存在を明示する明示指標を含む明示画像を出力する明示画像出力部と、
前記外側領域の物体が前記注目撮影画像に対応する領域に進入しているときに、前記明示指標が前記注目撮影画像における前記物体の周りを囲むことなく、かつ、前記物体の上方位置で当該物体の移動に追従して移動する形態で表示される画像を出力する動作画像出力部と、を備え、
前記動作画像出力部は、前記外側領域の物体が設定速度未満の速度で移動するときに、前記明示指標が点滅する前記画像を出力するように構成してある障害物警報装置。
【請求項２】
前記動作画像出力部は、前記外側領域の物体が前記注目撮影画像に対応する領域に進入したときに、前記画像の出力を開始するように構成してある請求項１記載の障害物警報装置。
【請求項３】
前記注目撮影画像の少なくとも一部を所定の色で彩色したマスク領域が設定され、前記明示指標は、前記マスク領域の下縁下側に沿って、前記注目撮影画像内で画面横方向にのみ移動する請求項１又は２に記載の障害物警報装置。
【発明の詳細な説明】
【技術分野】
【０００１】
本発明は、車両に接近する障害物の存在を乗員に明示する障害物警報装置に関する。
【背景技術】
【０００２】
車両の周囲には運転者の位置から視認できない死角があり、運転者は車両の運転にあたり当該車両の周囲に細心の注意を払う必要がある。特に、車両を後退して駐車させる場合には、駐車自体に苦手意識を持っているユーザも多く、精神的疲労も少なくない。そこで、従来、車両の周囲の障害物を監視する技術が利用されてきた（例えば特許文献１及び２）。
【０００３】
特許文献１に記載の車両の障害物警報装置は、横移動障害物検出手段と、横移動方向検出手段と、横移動情報提供手段とを備えて構成される。横移動障害物検出手段は車両前方において進行方向を横切る方向に移動する障害物を検出する。横移動方向検出手段は横移動障害物検出手段により検出された障害物の横移動方向を検出する。横移動情報提供手段は横移動方向検出手段により検出された障害物の横移動方向に関する情報をドライバーに提供する。この際、横移動情報提供手段は表示部に横移動方向検出手段により検出された横移動方向を表わす矢印をディスプレイに表示する。
【０００４】
特許文献２に記載の車両周囲監視装置は、撮像手段と、障害物検出手段と、表示手段とを備えて構成される。撮像手段は自車両の一部を含む車両周囲を撮像する。障害物検出手段は車両周囲に位置する障害物を検出し、検出した障害物と自車両との距離を算出する。表示手段は撮像手段によって撮像された撮像画像と障害物検出手段によって算出された距離を示す障害物表示画像とを１つの画面に表示する。
【先行技術文献】
【特許文献】
【０００５】
【特許文献１】特開平１１−１１５６６０号公報
【特許文献２】特開２００９−２１７７４０号公報
【発明の概要】
【発明が解決しようとする課題】
【０００６】
特許文献１や特許文献２に記載の技術のように車両の周囲の障害物を検出し、当該障害物を明示する情報（矢印等）を画面表示することで運転者に車両の周囲の障害物の存在を報知することが可能である。しかしながら、車両に搭載されるディスプレイ（表示手段）の画面サイズは大きいものではない。このため、ディスプレイに表示される車両の周囲の状況を示す画像上に矢印等を表示すると、車両の周囲の状況が見難くなったり障害物を把握できなくなったりする可能性がある。
【０００７】
本発明の目的は、上記問題に鑑み、車両の周囲の状況を見難くすることなく、車両に接近する障害物の存在を運転者に明示して注意喚起することができる障害物警報装置を提供することにある。
【課題を解決するための手段】
【０００８】
本発明による障害物警報装置の第１特徴構成は、
車両の周囲の情景を撮影した撮影画像を取得する撮影画像取得部と、
前記撮影画像に基づいて注目撮影画像を生成する注目撮影画像生成部と、
前記注目撮影画像の外側の外側領域に物体が存在するか否かを判定する物体存在判定部と、
前記外側領域の物体が前記注目撮影画像に対応する領域に進入する場合に、前記注目撮影画像における前記物体が存在する外側領域の側の端部に表示する、前記物体の存在を明示する明示指標を含む明示画像を出力する明示画像出力部と、
前記外側領域の物体が前記注目撮影画像に対応する領域に進入しているときに、前記明示指標が前記注目撮影画像における前記物体の周りを囲むことなく、かつ、前記物体の上方位置で当該物体の移動に追従して移動する形態で表示される画像を出力する動作画像出力部と、を備え、
前記動作画像出力部は、前記外側領域の物体が設定速度未満の速度で移動するときに、前記明示指標が点滅する前記画像を出力するように構成してある点にある。
【０００９】
本構成の障害物警報装置は、注目撮影画像の外側領域に物体が存在するか否かを判定して、外側領域の物体が注目撮影画像に対応する領域に進入する場合に、注目撮影画像における物体が存在する外側領域の側の端部に、その物体の存在を明示する明示指標を表示する。
このため、車両に備えられる表示装置（例えばモニタ）の画面に物体が映っていなくても、車両に接近する物体が撮影範囲内に入った時点で、車両の周囲の状況を表示しつつ、運転者に対して車両に接近する物体の存在及びその接近方向を予め明示することができる。
したがって、表示装置の画面サイズが小さい場合でも、車両に接近する物体を見逃すおそれが少ない。
【００１０】
また、外側領域の物体が注目撮影画像に対応する領域に進入しているときに、明示指標が注目撮影画像における物体の周りを囲むことなく、かつ、物体の上方位置で当該物体の移動に追従して移動する形態で表示される画像を出力する。
このため、運転者が見難くならないように物体を表示しながら、物体の現在位置を見やすい状態で明示することができる。
したがって、本構成の障害物警報装置であれば、車両の周囲の状況を見難くすることなく、車両に接近する障害物（物体）の存在を運転者に明示して注意喚起することができる。
更に、本構成であれば、動きが遅くて目立たない物体の存在を目立つように明示して、運転者に対して効果的に注意喚起することができる。
【００１１】
本発明の第２特徴構成は、前記動作画像出力部は、前記外側領域の物体が前記注目撮影画像に対応する領域に進入したときに、前記画像の出力を開始するように構成してある点にある。
【００１２】
本構成であれば、注目撮影画像に対応する領域に進入した物体の進入開始時からの動きを明示して、運転者に対して効果的に注意喚起することができる。
【００１３】
本発明の第３特徴構成は、前記注目撮影画像の少なくとも一部を所定の色で彩色したマスク領域が設定され、前記明示指標は、前記マスク領域の下縁下側に沿って、前記注目撮影画像内で画面横方向にのみ移動するように構成してある点にある。
【００１４】
本構成であれば、注目撮影画像において見やすい状態でマスク領域を設定することが可能となり、マスク領域に沿って明示指標が移動するため、運転者と物体との横方向での位置関係を直感的に把握しやすい情報を提供できる。
【図面の簡単な説明】
【００１５】
【図１】障害物警報装置の構成を模式的に示したブロック図である。
【図２】障害物警報装置の処理の一例を示した図である。
【図３】障害物警報装置の処理の一例を示した図である。
【図４】合成画像の一例を示した図である。
【図５】合成画像の一例を示した図である。
【図６】合成画像の一例を示した図である。
【図７】障害物警報装置の処理を模式的に示した図である。
【図８】第２実施形態における合成画像の一例を示した図である。
【発明を実施するための形態】
【００１６】
〔第１実施形態〕
以下、本発明の実施の形態について、詳細に説明する。本発明に係る障害物警報装置１００は、車両に接近する歩行者や車両などの物体がある場合に当該車両の運転者に物体が接近していることを明示する機能を備えている。
本実施形態では、駐車場などにおける車両の後進時に、その車両の後方側に物体がある場合に当該車両の運転者に物体が接近していることを明示する機能を備えている。
以下、図面を用いて説明する。
【００１７】
図１は、障害物警報装置１００の構成を模式的に示したブロック図である。図１に示すように、障害物警報装置１００は、撮影画像取得部１１、注目撮影画像生成部１２、外側領域生成部１３、物体存在判定部１４、移動判定部１５、明示画像出力部１６、明示画像格納部１７、合成画像生成部１８、マスク領域設定部１９、障害物存在エリア生成部２０、障害物存在エリア強調表示部２１、動作画像出力部３０、動作画像格納部３１の各機能部を備えて構成される。各機能部はＣＰＵを中核部材として車両１の運転者に物体７の接近を明示する種々の処理を行うための上述の機能部がハードウェア又はソフトウェア或いはその両方で構築されている。
【００１８】
図２に示すように、撮影画像取得部１１は、車両１が備えるカメラ５で当該車両１の周囲の情景を撮影した撮影画像Ｇを取得する。本実施形態におけるカメラ５は、ＣＣＤ（charge coupled device ）やＣＩＳ（CMOS image sensor ）などの撮像素子を内蔵するとともに、撮影した情報を動画情報として出力するデジタルカメラにより構成される。
【００１９】
カメラ５は、図２（ａ）に示すように、車両１の外側後部に備えられるライセンスプレートの近傍、或いは車両１の外側後部に備えられるエンブレムの近傍等に、車両１の後方に向けてやや俯角を有して配設される。
また、カメラ５は広角レンズ（図示せず）を備えて構成される。これにより、車両１の後方を略１８０度の角度範囲に亘って、車両１の周囲の情景を撮影することができる。このような撮影範囲は、図２（ａ）の「広視野角」として示す。このカメラ５は、リアルタイムで動画を撮影画像Ｇとして出力する性能を有する。このような撮影画像Ｇは、撮影画像取得部１１に伝達される。
【００２０】
このような撮影画像Ｇの一例を図２（ｂ）に示す。図２（ｂ）に示す撮影画像Ｇの全幅は、図２（ａ）の広視野角に対応する。ここで、撮影画像Ｇは、図２（ａ）に示すような車両１から後方を見て左側にいる物体（本実施形態では歩行者）７が、図２（ｂ）に示すように撮影画像Ｇ内の右側にいるように鏡像処理が行われる。これは、モニタ５０に車両１の後方の情景を表示する際、車両１の運転者が撮影画像Ｇに含まれる物体７が車両１の左側にいるのか右側にいるのかを感覚的に理解し易くするためである。
【００２１】
図１に戻り、注目撮影画像生成部１２は、撮影画像取得部１１から伝達された撮影画像Ｇに基づいて注目撮影画像を生成する。本実施形態では、撮影画像Ｇの撮影範囲は広視野角である。このため、注目撮影画像生成部１２は、撮影画像Ｇの中央部分である狭視野領域Ｎを注目撮影画像として生成する。
【００２２】
本実施形態では、注目撮影画像は、図２（ｂ）に示す撮影画像Ｇの横方向の中央部分が相当する。このような狭視野領域Ｎは、図２（ａ）の「狭視野角」のような例えば車両１の後方１２０〜１３０度程度の角度範囲の領域とすると好適である。
また、狭視野領域Ｎは車両１が後退する際の進行可能範囲に近いので、撮影画像Ｇのうち特に注目すべき領域であることから「注目撮影画像」と称される。このような注目撮影画像は、後述するモニタ５０に表示す表示画像に対応する（図２（ｃ）参照）。なお、本実施形態では、「注目撮影画像」は「狭視野領域」の画像であるとして説明する。
【００２３】
外側領域生成部１３は、注目撮影画像の外側の外側領域Ｏを生成する。すなわち、撮影画像Ｇのうち狭視野領域Ｎの外側の外側領域Ｏを生成する。上述のように、撮影画像Ｇの横方向の中央部分に注目撮影画像生成部１２により狭視野領域Ｎが生成される。外側領域生成部１３はこのような狭視野領域Ｎの横方向の外側に、図２（ｂ）に示すような外側領域Ｏを生成する。外側領域生成部１３により生成された外側領域Ｏは物体存在判定部１４に伝達される。
【００２４】
物体存在判定部１４は、外側領域生成部１３から伝達された外側領域Ｏに物体７が存在するか否かを判定する。物体７が存在するか否かの判定は、例えばパターンマッチング等の公知の画像認識処理を用いて行うことが可能である。もちろん、パターンマッチング以外の処理により、外側領域Ｏに物体７が存在するか否かを判定することは可能である。物体存在判定部１４の判定結果は移動判定部１５に伝達される。
【００２５】
移動判定部１５は、物体存在判定部１４により外側領域Ｏに物体７が存在すると判定された場合に、外側領域Ｏの物体７の現在位置及び移動方向を判定する。特に本実施形態では、移動判定部１５により、外側領域Ｏの物体７が狭視野領域Ｎの側に移動するか否かが判定される。
狭視野領域Ｎの側に移動するとは、車両１の後方において、車両１の幅方向外側から、車両１の真後ろの方向に移動することを示す。移動方向の判定は、例えば撮影画像Ｇにおける物体７の現在位置と所定時間前の撮影画像Ｇにおける物体７の位置とを比較して行うことも可能であるし、オプティカルフローを用いるなどの公知の手法を用いて行うことができる。
【００２６】
明示画像出力部１６は、移動判定部１５により外側領域Ｏの物体７が注目撮影画像に対応する領域の側に移動すると判定された場合に、図２（ｃ）に示すように、注目撮影画像における物体７が存在する外側領域Ｏの側の端部に表示する、物体７の存在を明示する明示指標Ｓを含む明示画像を出力する。
【００２７】
本実施形態では、注目撮影画像に対応する領域は、狭視野領域Ｎに相当する。したがって、明示画像出力部１６は、外側領域Ｏの物体７が狭視野領域Ｎの側に移動する場合に、注目撮影画像における物体７が存在する外側領域Ｏの側の端部に表示する、物体７の存在を明示する明示指標Ｓを含む明示画像を出力する。
狭視野領域Ｎのうち物体７が存在する外側領域Ｏの側とは、物体７が左側の外側領域Ｏにいる場合には狭視野領域Ｎ内の左側の領域が相当する。一方、物体７が右側の外側領域Ｏにいる場合には狭視野領域Ｎ内の右側の領域が相当する。
【００２８】
本実施形態では、明示画像出力部１６は、外側領域Ｏの物体７が車両１の狭視野領域Ｎの側に移動する場合に、狭視野領域Ｎのうち物体７が存在する外側領域Ｏの側から中央側に向けて、一定時間点灯したのち消灯する明示指標Ｓを表示させる。
一定時間点灯したのち消灯する明示指標Ｓとは、明示指標Ｓが連続して表示されている状態ではなく、明示指標Ｓが点滅して表示されている状態を示す。
【００２９】
ここで、明示指標Ｓについて説明する。本実施形態に係る明示指標Ｓは、注目撮影画像（狭視野領域Ｎ）の中央側に向けて突出する頂部を有する二等辺三角形の矢印形状に構成されている。このような明示指標Ｓは、図２（ｄ）に示すように明示画像格納部１７に格納されている。図２（ｃ）は、図２（ｂ）に示すような撮影画像Ｇ、すなわち右側の外側領域Ｏに物体７がいる場合に車両１のモニタ５０に表示される画像を示す。
【００３０】
明示画像出力部１６は、本実施形態では、図２（ｃ）に示すように、明示指標Ｓを狭視野領域Ｎである注目撮影画像に合成してモニタ５０に表示する。そこで、合成画像生成部１８は、注目撮影画像に明示指標Ｓを合成した合成画像を生成する。これにより、図２（ｃ），図４に示すような画像が生成され、車両１の乗員に対して当該車両１に物体７が接近していることを視覚的に明示することができる。
【００３１】
マスク領域設定部１９は、注目撮影画像のうち、車両１の周囲の情景の少なくとも一部を非表示にするマスク領域Ｍを設定する。本実施形態では、マスク領域Ｍは図２（ｃ）に示すように、画面上部、すなわち、注目撮影画像内の上側部分に設定される。このマスク領域Ｍは、注目撮影画像の横方向両側に亘って一定幅の帯状に形成される。マスク領域Ｍ内は、車両１の上方の情景が見えないように、例えば黒色で彩色される。もちろん、他の色で彩色しても良い。
【００３２】
障害物存在エリア生成部２０は、移動判定部１５により外側領域Ｏの物体７が狭視野領域Ｎの側に移動すると判定されると、図３（ｃ）に示すように、マスク領域Ｍに障害物存在エリアＢを生成する。
障害物存在エリアＢは、注目撮影画像における左右両側の端部存在エリアＢ１，Ｂ３と、両端部存在エリアＢ１，Ｂ３の間の中間存在エリアＢ２とを有する。
障害物存在エリア強調表示部２１は、外側領域Ｏの物体７が車両１の狭視野領域Ｎの側に移動する場合に、物体７が存在する外側領域Ｏの側の端部存在エリアＢ３を例えば赤色に着色して、明示指標Ｓの点滅動作に同期して点滅させ、物体７が狭視野領域Ｎに進入したときに、端部存在エリアＢ３の着色及び点滅動作を解除する。
【００３３】
動作画像出力部３０は、物体７が存在する外側領域Ｏの側の端部に表示した明示指標Ｓを注目撮影画像における物体７の上方位置に移動させた後、所定回数に亘って点滅させる移動画像と、物体７の上方位置に移動させた明示指標Ｓを注目撮影画像における物体７の上方位置で当該物体７の移動に追従して移動させる追従画像とを出力する。移動画像及び追従画像は、図３（ｄ）に示すように、動作画像として動作画像格納部３１に格納されている。
【００３４】
移動画像は、図５に示すような、注目撮影画像における物体７が存在する外側領域Ｏの側の端部に表示した明示指標Ｓが徐々に小さくなりながら、かつ、回転しながら、注目撮影画像内における物体７の上方位置であって、かつ、物体７が存在する外側領域Ｏの側の端部存在エリアＢ３の下縁下側に頂部が物体７の側に向くよう移動した後、所定回数に亘って点滅するように連続的に見える画像である。
【００３５】
物体７が狭視野領域Ｎに進入した場合には、注目撮影画像の端部に物体７が表示される。このため、図３（ｃ）に示すように、物体７が狭視野領域Ｎに進入した場合に、明示指標Ｓを小さくして端部存在エリアＢ３の下縁下側に移動させることにより、狭視野領域Ｎの端部に表示される物体７を明示指標Ｓにより隠すことなく表示することが可能となる。したがって、車両１の運転者に物体７の存在を適切に明示することが可能となる。
【００３６】
追従画像は、端部存在エリアＢ１，Ｂ３の下縁下側で点滅した後の明示指標Ｓが、移動判定部１５により判定された物体７の現在位置に基づいて、図６（ａ）〜（ｅ）に示すような、狭視野領域Ｎに進入した物体７の画面横方向への移動にのみ追従して障害物存在エリアＢの下縁下側に沿って注目撮影画像内で画面横方向にのみ連続的に移動するように見える画像である。
なお、動作画像出力部３０は、外側領域Ｏの物体７が設定速度未満の速度で移動するときには、明示指標Ｓが点滅しながら移動するように見える追従画像を出力する。
【００３７】
動作画像出力部３０は、移動判定部１５により外側領域Ｏの物体７が注目撮影画像に対応する領域、すなわち狭視野領域Ｎに進入したと判定されたときに移動画像を出力し、その移動画像の終了と同時に追従画像を出力する。
したがって、動作画像出力部３０は、外側領域Ｏの物体７が注目撮影画像に対応する領域Ｎに進入したときに、追従画像の出力を開始する。
合成画像生成部１８は、動作画像出力部３０から出力された移動画像及び追従画像を注目撮影画像に合成した合成画像を生成する。これにより、図５，図６に示すような画像がモニタ５０に表示される。
【００３８】
図４〜図６は、このような明示指標Ｓが表示される一連の画像の一例を示す。
図４は、外側領域Ｏにいる物体７が狭視野領域Ｎの側に移動している場合に、狭視野領域Ｎに明示指標Ｓが表示される様子を示している。
図４（ａ）は、外側領域Ｏの物体７が狭視野領域Ｎの側に移動しないと判定されているために、明示指標Ｓが表示されていない状態を示し、図４（ｂ），（ｃ）は、外側領域Ｏの物体７が狭視野領域Ｎの側に移動すると判定された結果、物体７が狭視野領域Ｎに進入するまで明示指標Ｓが点滅表示される様子を示す。
【００３９】
図５は、外側領域Ｏにいる物体７が狭視野領域Ｎに進入した場合に、明示指標Ｓが徐々に小さくなりながら、かつ、回転しながら、注目撮影画像内における物体７の上方位置であって、かつ、物体７が存在する外側領域Ｏの側の端部存在エリアＢ３の下縁下側に頂部が物体７の側に向くように移動した後、所定回数に亘って点滅する様子を示している。
【００４０】
図６（ａ）〜（ｅ）は、端部存在エリアＢ３の下縁下側に移動した明示指標Ｓが、物体７の画面横方向への移動にのみ追従して障害物存在エリアＢの下縁下側に沿って注目撮影画像内で画面横方向にのみ移動する様子を示している。
図６（ｆ）は、狭視野領域Ｎに進入した物体７が狭視野領域Ｎの外側に移動した結果、動作画像出力部３０が追従画像の出力を中止すると共に、障害物存在エリア生成部２０が障害物存在エリアＢを消去した状態を示す。
【００４１】
次に、障害物警報装置１００が、注目撮影画像に明示画像を重畳した合成画像をモニタ５０に表示する一連の処理について、図７の模式図を用いて説明する。まず、撮影画像取得部１１が、車両１のカメラ５により撮影された撮影画像Ｇを取得する（ステップ＃１）。
【００４２】
次に、注目撮影画像生成部１２が取得された撮影画像Ｇの中央部分を注目撮影画像として生成すると共に、マスク領域設定部１９がマスク領域Ｍを設定する（ステップ＃２）。
一方、外側領域生成部１３が、取得された撮影画像Ｇの横方向両側部分を外側領域Ｏとして生成する（ステップ＃３）。このように生成された外側領域Ｏに物体７が存在しているか否かは、物体存在判定部１４により判定される（ステップ＃４）。
【００４３】
外側領域Ｏに物体７が存在していると判定されると、移動判定部１５により当該物体７の移動方向が判定される（ステップ＃５）。物体７の移動方向が、外側領域Ｏから注目撮影画像に対応する狭視野領域Ｎの側へのものである場合、更に物体７が狭視野領域Ｎ内に進入したか否かが判定される（ステップ＃６）。
物体７が狭視野領域Ｎ内に進入していなければ、明示画像出力部１６により、明示指標Ｓを含む明示画像が出力される（ステップ＃７）。この明示画像は、明示画像格納部１７に格納されている明示画像を参照して出力される。
【００４４】
合成画像生成部１８は、ステップ＃２において生成された注目撮影画像に、ステップ
＃７で出力された明示画像を重畳して合成画像を生成する（ステップ＃８）。生成された合成画像は、モニタ５０に表示される（ステップ＃９）。
【００４５】
一方、ステップ＃６において、物体７の狭視野領域Ｎ内への進入が判定されると、動作画像出力部３０により移動画像及び追従画像が順に出力される（ステップ＃１０）。移動画像及び追従画像は、動作画像格納部３１に格納されている動作画像を参照して出力される。
【００４６】
合成画像生成部１８は、ステップ＃２において生成された注目撮影画像に、ステップ
＃１０で出力された移動画像及び追従画像を重畳した合成画像を生成する（ステップ＃８）。生成された合成画像はモニタ５０に表示される（ステップ＃９）。
【００４７】
動作画像出力部３０は、移動判定部１５により判定された物体７の現在位置が変化すると、明示指標Ｓがその物体７の位置に応じて画面横方向に追従移動する追従画像を出力する（ステップ＃１１）。この追従画像は、動作画像格納部３１に格納されている動作画像を参照して出力される。
合成画像生成部１８は、ステップ＃２において生成された注目撮影画像に、ステップ
＃１１で出力された従動画像を重畳した合成画像を生成する（ステップ＃１２）。従動画像を重畳した合成画像がモニタ５０に表示される（ステップ＃１３）。
【００４８】
狭視野領域Ｎに進入した物体７が狭視野領域Ｎの外に移動すると、動作画像出力部３０が追従画像の出力を中止すると共に、障害物存在エリア生成部２０が障害物存在エリアＢを消去する。
【００４９】
このように本発明に係る障害物警報装置１００によれば、車両１に備えられるモニタ５０の画面内に物体７が映っていなくても、車両１に接近する物体７が撮影範囲内に入った時点で、車両１の周囲の状況を表示しつつ、運転者に車両１に接近する物体７の存在及び方向を明示することができる。したがって、モニタ５０の画面サイズが小さい場合でも、車両１に接近する物体７を見逃すことがなくなる。
【００５０】
また、明示指標Ｓは、物体７の狭視野領域Ｎへの進入に伴い明示指標Ｓを小さくしながら回転させて狭視野領域Ｎ内の上部に移動させるので、車両１の運転者が明示指標Ｓを見失い難いと共に狭視野領域Ｎの物体７を注視させることが可能である。したがって、車両１の周囲の状況を把握させることができる。
さらに、狭視野領域Ｎの物体７の移動に追従して明示指標Ｓを移動させるので、物体７の現在位置を明示することができ、運転者に対して効果的に注意喚起することができる。
【００５１】
〔第２実施形態〕
図８は、本発明の別実施形態を示す。
本実施形態では、明示画像出力部１６は、移動判定部１５により外側領域Ｏの物体７が注目撮影画像に対応する領域の側に移動すると判定された場合に、図８（ｂ），（ｃ）に示すように、注目撮影画像における物体７が存在する外側領域Ｏの側の端部に当該物体７の高さ位置で表示する、物体７の存在を明示する明示指標Ｓを含む明示画像を出力する。
このように、明示指標Ｓを外側領域Ｏに存在する物体７の高さ位置で予め明示するので、物体７の進入開始位置を予め把握し易い。
なお、図８（ａ）は、外側領域Ｏの物体７が狭視野領域Ｎの側に移動しないと判定されているために、明示指標Ｓが表示されていない状態を示している。
【００５２】
明示指標Ｓで表示される物体７の高さ位置とは、外側領域Ｏにおいて移動している物体７の撮影画像Ｇ中における高さ位置である。例えば物体７が歩行者である場合はその歩行者の頭の高さ位置であり、例えば物体７が車両である場合はその車両の屋根などの最も高い箇所の高さ位置である。
このような高さ位置を示す情報は、移動判定部１５において物体７の最も高い位置を判定することにより得られる。
その他の構成は第１実施形態と同様である。
【００５３】
〔その他の実施形態〕１．本発明による障害物警報装置は、外側領域Ｏの物体７が注目撮影画像に対応する領域Ｎに進入しているときに、明示指標Ｓが注目撮影画像における物体７の高さ位置に応じた上方位置で追従移動する追従画像を出力する動作画像出力部３０を備えていてもよい。
２．本発明による障害物警報装置は、外側領域Ｏの物体７が注目撮影画像に対応する領域Ｎに進入しているときに、物体７の領域Ｎへの進入開始からその物体７が領域Ｎから外への移動するまで、明示指標Ｓが点滅しながら物体７に追従移動する追従画像を出力する動作画像出力部３０を備えていてもよい。
３．本発明による障害物警報装置は、外側領域Ｏの物体７が注目撮影画像に対応する領域Ｎに進入しているときに、明示指標Ｓが彩色を変更しながら物体７に追従移動する追従画像を出力する動作画像出力部３０を備えていてもよい。
４．本発明による障害物警報装置は、外側領域Ｏの物体７が注目撮影画像に対応する領域Ｎに進入した後、その物体７が車両幅内の後方位置や前方位置に移動したときに、追従画像の出力を開始するように構成してある動作画像出力部３０を備えていてもよい。
５．本発明による障害物警報装置は、注目撮影画像の外側の外側領域Ｏに物体７が存在するか否かをソナー等で検出して判定する物体存在判定部１４を備えていてもよい。
６．本発明による障害物警報装置は、狭視野領域Ｎに対応した狭視野角を持つカメラ５で撮影画像Ｇを取得した場合には、当該撮影画像Ｇをそのまま注目撮影画像として用いる注目撮影画像生成部１２を備えていてもよい。
この場合、外側領域Ｏに物体７が存在するか否かの判定は、上記のように、例えばソナー等で検出して判定すると好適である。
７．本発明による障害物警報装置は、駐車場などにおける車両の前進時に、その車両の前方側に物体がある場合に当該車両の運転者に物体が接近していることを明示する機能を備えていてもよい。
【産業上の利用可能性】
【００５４】
本発明は、車両に接近する障害物の存在を乗員に明示する障害物警報装置に用いることが可能である。
【符号の説明】
【００５５】
１  車両
７  物体
１１  撮影画像取得部
１２  注目撮影画像生成部
１４  物体存在判定部
１６  明示画像出力部
３０  動作画像出力部
１００  障害物警報装置
Ｇ  撮影画像
Ｎ  注目撮影画像に対応する領域
Ｏ  外側領域
Ｓ  明示指標
【図１】
0005845909.tif 000002
【図２】
0005845909.tif 000003
【図３】
0005845909.tif 000004
【図４】
0005845909.tif 000005
【図５】
0005845909.tif 000006
【図６】
0005845909.tif 000007
【図７】
0005845909.tif 000008
【図８】
0005845909.tif 000009